(57)【要約】  【課題】  寿命の低下等を防止でき、内視鏡検査の中断操作が容易に行える内視鏡装置を提供する。  【解決手段】  アクチュエータ３９により駆動される被駆動体を有する内視鏡と、着脱自在に前記内視鏡に接続され前記アクチュエータ駆動制御する制御装置を備えた内視鏡装置において、前記制御装置内に、前記アクチュエータ３９に流れる電流を検出する電流検出手段と、短絡、解放及び発熱状態における少なくとも２つ以上のしきい値に設定したしきい値設定手段と、前記しきい値レベルと前記電流検出手段で検出された電流量レベルとの大小を比較・判定する比較判定手段と、前記比較判定手段の判定結果に基づいて、前記アクチュエータの駆動波形を設定する駆動制御手段と、前記駆動制御手段からの出力信号に基づいて駆動波形を発生する駆動手段と、を有することを特徴とする。【選択図】  図１３
2006000660.tif 000002
【特許請求の範囲】
【請求項１】
アクチュエータにより駆動される被駆動体を有する内視鏡と、着脱自在に前記内視鏡に接続され前記アクチュエータ駆動制御する制御装置を備えた内視鏡装置において、
前記制御装置内に、前記アクチュエータに流れる電流を検出する電流検出手段と、
短絡、解放及び発熱状態における少なくとも２つ以上のしきい値に設定したしきい値設定手段と、
前記しきい値レベルと前記電流検出手段で検出された電流量レベルとの大小を比較・判定する比較判定手段と、
前記比較判定手段の判定結果に基づいて、前記アクチュエータの駆動波形を設定する駆動制御手段と、
前記駆動制御手段からの出力信号に基づいて駆動波形を発生する駆動手段と、
を有することを特徴とする内視鏡装置。
【発明の詳細な説明】
【技術分野】
【０００１】
本発明は、アクチュエータにより挿入部先端部に設けたズームレンズ等を移動する内視鏡装置に関する。
【背景技術】
【０００２】
近年、内視鏡は医療用分野及び工業用分野で広く用いられるようになった。  
例えば、特開平９−３２２５６６号公報の内視鏡装置では、対物光学系の一部をズームレンズにて構成し、そのズームレンズを圧電アクチュエータにより移動される被移動体に連結した構造にして、ズームレンズを移動させることにより観察画像の倍率を変化させるものが開示されている。  
このような構成の内視鏡装置では１本の内視鏡により、変倍することによってルーチン検査と精査観察ができるため、便利である。
【特許文献１】特開平９−３２２５６６号公報
【発明の開示】
【発明が解決しようとする課題】
【０００３】
従来技術として、内視鏡内に設けられたディップスイッチ等によって、内視鏡と制御装置の接続を検知するものがあるが、この場合、内視鏡内、あるいは制御装置内のアクチュエータ通電線が断線し、アクチュエータが駆動不能になったことを検知できず、アクチュエータ通電線に駆動電力が供給されている状態で、通電線の導電部が意図せず制御装置内、あるいは内視鏡内部の金属部に接触することによる不具合が生じる恐れがある。  
過度にズーム操作を煩雑に繰り返すことにより、アクチュエータが発熱して特性が寿命を低下させたり、特性を劣化させる可能性がある。また、発熱しすぎて故障した場合、例えば拡大端で画像が動かなくなった場合、体腔内の全体視野が確保できないため、内視鏡検査を中断する際、内視鏡を抜去することが難しかった。
【０００４】
（発明の目的）
本発明は上述した点に鑑みてなされたもので、寿命の低下等を防止でき、内視鏡検査の中断操作が容易に行える内視鏡装置を提供することを目的とする。
【課題を解決するための手段】
【０００５】
本発明は、アクチュエータにより駆動される被駆動体を有する内視鏡と、着脱自在に前記内視鏡に接続され前記アクチュエータ駆動制御する制御装置を備えた内視鏡装置において、
前記制御装置内に、前記アクチュエータに流れる電流を検出する電流検出手段と、
短絡、解放及び発熱状態における少なくとも２つ以上のしきい値に設定したしきい値設定手段と、
前記しきい値レベルと前記電流検出手段で検出された電流量レベルとの大小を比較・判定する比較判定手段と、
前記比較判定手段の判定結果に基づいて、前記アクチュエータの駆動波形を設定する駆動制御手段と、
前記駆動制御手段からの出力信号に基づいて駆動波形を発生する駆動手段と、
を有することを特徴とする。
【発明の効果】
【０００６】
本発明によれば、アクチュエータに駆動信号を印加して、その際に解放状態、短絡状態及び発熱状態が発生した場合には速やかにアクチュエータを駆動するのを停止するので、短絡により過大な電流が流れて電気部品等を損傷したり、特性を劣化させたり、寿命を低下させたり、断線等が発生するのを速やかに防止できる。
【発明を実施するための最良の形態】
【０００７】
以下、図面を参照して本発明の実施例を説明する。  
【実施例１】
【０００８】
図１ないし図１２は本発明の実施例１に係り、図１は本発明の実施例１の内視鏡装置の外観を示し、図２は実施例１の内視鏡装置の全体構成を示し、図３は内視鏡の先端部に設けた光学系及びそれを駆動するアクチュエータを示し、図４はアクチュエータの外形を示し、図５はアクチュエータの内部構造を示し、図６は駆動波形を示し、図７はズーム制御装置の正面図を示し、図８はズーム制御装置内の概略の構成を示し、図９は駆動パルス比率を示し、図１０はディップスイッチの外形及び各スイッチに割り当てられた機能等を示し、図１１は受信回路の具体的な回路構成を示し、図１２は変形例における駆動パルス比率を示す。
【０００９】
図１及び図２に示す本発明の実施例１の内視鏡装置１はズーム（拡大から広角まで任意の倍率に調整できる）機能を備えたズーム式電子内視鏡（以下、単に内視鏡と略記）２と、この内視鏡２のライトガイドに照明光を供給する光源装置３と、撮像手段に対する信号処理を行うカメラコントロールユニッット（ＣＣＵと略記）４と、ＣＣＵ４から出力される映像信号を表示するカラーモニタ５と、拡大／広角制御（単にズーム制御とも言う）を行うズーム制御装置６と、このズーム制御装置６に接続されたフットスイッチ７とを有する。
【００１０】
内視鏡２は患者の体内等に挿入される細長の挿入部８と、この挿入部８の基端に設けられた操作部９と、この操作部９から一端が延出されたユニバーサルコード１１とを有し、このユニバーサルコード１１の他端に設けたコネクタ１２（図１参照）は光源装置３に着脱自在で接続される。
【００１１】
図１に示すように挿入部８は撮像手段が内蔵された硬質の先端部１３と、この先端部１３の後端に設けられ湾曲自在の湾曲部１４と、この湾曲部１４の後端に設けられた可撓性を有する可撓管部１５とからなり、操作部９に設けた湾曲操作ノブ１６を操作することにより、湾曲部１４を湾曲させることができる。
【００１２】
また、図１に示すようにコネクタ１２にはビデオケーブル１７の一端のコネクタ１８が接続され、このビデオケーブル１７の他端のコネクタ１９はＣＣＵ４に着脱自在で接続される。
【００１３】
このコネクタ１２にはズームケーブル２０の一端も接続され、このズームケーブル２０の他端のズームコネクタ２１は接続コネクタ２２を介して接続ケーブル２３の一端と接続され、この接続ケーブル２３の他端のコネクタ２４はズーム制御装置６に着脱自在で接続される。
【００１４】
なお、このズームコネクタ２１はズームコネクタ用防水キャップ２５を取り付けることにより防水構造にして洗滌などを行うことが可能である。また、ズームケーブル２０は、接続コネクタ２２とズームコネクタ２１とがない、接続ケーブル２３を兼ねる一体型としても良い。このときは、コネクタ２４がズームコネクタ２１に置き換えられる。また、このズームケーブル２０は、コネクタ１２と着脱自在に接続できるコネクタを有していても良い。
【００１５】
このズーム制御装置６にはリモートスイッチとしてのフットスイッチ７に一端が接続された接続コード２６の他端に設けたフットスイッチコネクタ２７が着脱自在で接続される。このフットスイッチ７は拡大操作用フットスイッチ７ａと、広角操作用フットスイッチ７ｂとが設けてある。
【００１６】
このフットスイッチ７は足で踏んで操作し易いように斜面部分に拡大操作用フットスイッチ７ａと、広角操作用フットスイッチ７ｂを設けている。例えば、フットスイッチ７の底面に傾斜板をネジ等で取り付けたり、接着剤等で一体的に取り付けたりしている。
【００１７】
図２に示すように内視鏡２内にはライトガイドファイバ３１が挿通され、コネクタ１２を光源装置３に接続することにより、光源装置３内のランプ３２からの照明光がライトガイドファイバ３１の一端の入射端に入射され、この照明光は伝送されて挿入部８の先端部１３に固定された他端からさらに照明レンズ３３を経て出射され、患部等の被写体を照明する。
【００１８】
図２及び図３に示すように、内視鏡２の先端部１３には、ズーム光学系としての対物光学系３４と、この対物光学系３４の結像位置付近には対物光学系３４を通した観察像を撮像する撮像素子、好ましくは固体撮像素子、詳しくは電荷結合素子（ＣＣＤと略記）３５が内蔵されている。
【００１９】
対物光学系３４には、その光軸方向に移動可能なズームレンズ３８が設けられ、このズームレンズ３８の移動により広角／拡大可能（拡大率の調整が可能）となっている。なお、図３では対物光学系３４の各レンズは半断面で示している。  
また、先端部１３内には被駆動体としてのズームレンズ３８を駆動するアクチュエータ３９が設けられ、ズームレンズ３８と連結されている。ズームレンズ３８は、このアクチュエータ３９の駆動によって光軸方向に移動するようになっている。
【００２０】
図４及び図５に示すように、アクチュエータ３９は、いわゆるインパクト型の圧電アクチュエータ（急速変形アクチュエータ）であり、円筒状のパイプ４１と、このパイプ４１の内部を軸方向に移動可能に設けられた移動体４２と、パイプ４１の側部に設けられた切り欠き部４３に係合して配置され、移動体４２をパイプ４１内面にその軸と垂直方向に押しつける摩擦力発生機構としての摩擦板４４とを有している。摩擦板４４は、三角の山状に折り曲げられた弾性変形可能な板状部材により構成され、移動体４２はこの摩擦板４４に圧接して移動する。
【００２１】
移動体４２の先端部の側部には嵌合孔４５が設けられ、この嵌合孔４５にズームレンズ３８に取り付けられる出力軸が嵌合して固定されるようになっている。パイプ４１の先端側には、移動体４２の先端部を保持するために、パイプを半分に切り欠いた形状のガイド６６が設けられている。
【００２２】
移動体４２は、パイプ４１内面に対してその外面が当接し摺動する摺動パイプ６７と、摺動パイプ６７の両開口部に設けられた上蓋６８及び下蓋６９と、摺動パイプ６７内部に配設され、下蓋６９にその一端を強固に固着された圧電素子６０とを有して構成される。圧電素子６０には、圧電素子６０に駆動電力を供給するリード線６１が接続され、このリード線６１は内視鏡２のコネクタ１２まで延設されており、図１のように内視鏡２を接続したときにズーム制御装置６と電気的に接続されるようになっている。
【００２３】
なお、圧電素子６０は例えばチタン酸バリウム、チタン酸ジルコン酸鉛、磁器等のセラミックスの圧電部材を積層してそれらに電極を設けて形成されている。  そして、摩擦板４４の圧接による摩擦力より小さな力で移動体４２を移動させようとする力が作用した場合には移動体４２の移動は抑制され、この摩擦力より大きな力で移動体４２を移動させる力が作用した場合には移動体４２は摩擦力に打ち勝って移動する。本実施例ではこの摩擦力より大きい力を発生させるために急峻に変化する波形を持つ駆動信号をアクチュエータ３９に印加するインパクト型圧電アクチュエータを採用している。
【００２４】
図２に示すようにズーム制御装置６内の駆動回路５１は図６に示す波形の駆動信号を発生し、圧電素子６０は駆動信号の印加により、図２で光軸と平行な方向に機械的に伸び或いは収縮をする。
【００２５】
より具体的には、駆動回路５１は図６（Ａ）に示すように正弦波を全波整流したような波形の駆動信号（第１の駆動信号とも言う）と、図６（Ｂ）に示すように、第１の駆動信号を反転したような波形の駆動信号（第２の駆動信号とも言う）とを出力する。なお、図６で横軸は時間、縦軸は駆動信号の電圧を示し、各駆動信号は例えば９０Ｖの振幅を有する。
【００２６】
これらの波形は圧電素子６０を時間的にゆっくり伸び或いは縮ませる波形部分と、急峻に伸び或いは縮ませる波形部分とがある。
【００２７】
例えば、第１の駆動信号が圧電素子６０に印加された場合には電圧の時間微分波形が不連続で反転する（この場合、圧電素子６０が縮む方向から急に伸びる方向に変化する）部分において、移動体４２は図３で右側に例えば駆動信号１周期あたり数ミクロン程度移動する。
【００２８】
この移動体４２の移動によりアクチュエータ３９も図３で右側に移動され、このアクチュエータ３９の移動と共に、ズームレンズ３８も右側に移動して、この場合には対物光学系３４は移動前より拡大となるレンズ状態になる。
【００２９】
一方、第２の駆動信号が圧電素子６０に印加された場合にはアクチュエータ３９は図３で左側に移動され、このアクチュエータ３９の移動と共に、ズームレンズ３８も左側に移動して、この場合には対物光学系３４は移動前より広角となるレンズ状態になる。
【００３０】
なお、対物光学系３４を構成するズームレンズ３８は一般のいわゆるズームレンズ（変倍してもフォーカス点が変わらない）と異なり、変倍するとフォーカス点が変化する（変倍レンズである）。また、変倍した場合に、広角側では例えば被写界深度が５〜１００ｍｍで、拡大側では被写界深度が２〜５ｍｍに変化する。
【００３１】
本実施例では基本的には図６（Ａ）或いは（Ｂ）の駆動信号における１周期分で微小距離を移動させ、この駆動信号の１周期を単位としてその駆動信号数を制御することにより所定の距離等を移動させるようにしているので、駆動信号の代わりに駆動パルスとか、駆動信号数を駆動パルス数等で略記する。
【００３２】
図２に示すように上記ＣＣＤ３５で撮像された撮像信号はプリアンプ３６で増幅された後、ＣＣＵ４内のビデオ信号処理回路３７に入力され、標準的な映像信号が生成され、この映像信号はモニタケーブルを介してカラーモニタ５に入力され、モニタ画面には被写体の画像が表示される。
【００３３】
また、操作部９には湾曲ノブ１６の近傍にアクチュエータ操作用のズームスイッチ４０が設けてある。
【００３４】
そして、ズームスイッチ４０或いはフットスイッチ７を操作した場合の操作信号はズーム制御装置６内に設けられた入出力インタフェース（以下、Ｉ／Ｏと略記）５９を介して制御回路５２に入力される。
【００３５】
つまり、ズームスイッチ４０及びフットスイッチ７はズーム制御装置６にケーブル等で接続されて離間した位置に設けられたリモートスイッチを形成している。
【００３６】
上記ズームスイッチ４０は、拡大側（Ｔｅｌｅ側以下、Ｔ方向）スイッチ４０Ｔと、広角側（Ｗｉｄｅ方向以下、Ｗ方向）スイッチ４０Ｗで構成されている。  例えば前側にズームスイッチ４０を傾けるとＴ方向スイッチ４０ＴがＯＮし、後側に傾けるとＷ方向スイッチ４０ＷがＯＮする。
【００３７】
図２に示すように上記ズーム制御装置６には、さらに制御回路５２に接続された駆動波形及びプログラムを記憶したＲＯＭ５３、システム設定用の情報を記憶したシステム設定用ＲＡＭ５４、そのフロントパネル４８に設けたモードスイッチ４９、５０等を備えている。
【００３８】
図２ではその概略の構成を示し、より具体的な構成は図８で後述する。上記制御回路５２は、ＣＰＵ５５（図８参照）を搭載して構成されており、図２に示すＲＯＭ５３に格納されたプログラムに従い、上記ズームスイッチ４０や、フロントパネル４８に設けたステップモードスイッチ４９及びスピードモードスイッチ５０等の入力に応じて、上記駆動回路５１に対してアクチュエータ３９の駆動波形、駆動電力等の出力や、レベルインジケータの表示等を指示する。
【００３９】
図７に示すようにズーム制御装置６の正面には電源スイッチ４６とコネクタ２４が着脱自在で接続されるコネクタ受け４７とが設けられ、これらの上方側にモードの設定等を行うフロントパネル４８が設けてある。
【００４０】
このフロントパネル４８には、リモートスイッチを１回押した場合にアクチュエータ３９（或いはズームレンズ３８）を所定量づつステップ移動させるステップモードで動作させる設定を行うステップモードスイッチ４９と、リモートスイッチを押した場合に押した時間だけ連続的に移動させるスピードモードスイッチ（或いは連続移動モードスイッチ）５０とが設けてある。
【００４１】
また、ステップモード及びスピードモードにおいて、その移動量或いは移動速度を複数段階に設定するスイッチ４９ａ〜４９ｅ、５０ａ〜５０ｅが設けてある。これらのスイッチ４９ａ〜４９ｅ、５０ａ〜５０ｅは選択するスイッチ機能の他に選択されたことを示すインジケータ機能とを備えている。
【００４２】
例えばスピードモードからステップモードに切り換えるためにステップモードスイッチ４９を押すと、例えば初期設定状態のままでは（レベルが）３のスイッチ４９ｃの選択状態のステップモードに設定され、このスイッチ４９ｃ部分が（内部のＬＥＤ等のインジケータによる）点灯で術者に分かるようにしている。
【００４３】
ステップモードではリモートスイッチを１回押した場合にある時間Ｔ１内に駆動信号が出力される信号数をスイッチ４９ａ〜４９ｅで５段階に設定できる。
【００４４】
例えば図７で（レベルが）１のスイッチ４９ａはこの信号数が最も少なく、（レベルが）５のスイッチ４９ｅではこの信号数が最も多くなるように順次段階的に設定されている。そして、（レベルが）３のスイッチ４９ｃでは中間の信号数であり、通常はこの設定で十分に移動操作を行うことができる値に設定されている。
【００４５】
また、長期の使用により、アクチュエータ３９の特性が低下しても、その場合には（レベルが）４のスイッチ４９ｄ或いは（レベルが）５のスイッチ４９ｅに設定することにより、（特性が低下していない）通常の使用状態と同等な操作性が得られるようにしている。
【００４６】
また、スピードモードでも類似の機能を設けている。このスピードモードではリモートスイッチを押した場合にある単位の時間Ｔｂ内に駆動信号が出力される時間Ｔａをスイッチ５０ａ〜５０ｅで５段階に設定できる。  
例えば図７で（レベルが）１のスイッチ５０ａは駆動信号が出力される時間Ｔａが最も短く、（レベルが）５のスイッチ５０ｅではこの時間Ｔａが最も長くなるように順次段階的に設定されている。
【００４７】
そして、（レベルが）３のスイッチ５０ｃでは中間の時間Ｔａであり、通常はこの設定で十分に移動操作を行うことができる値に設定される。例えば、このスイッチ５０ｃの状態で、リモートスイッチを押した場合には最広角端から最拡大端まで、或いは最拡大端から最広角端までの移動を１秒で移動できるようにしている。
【００４８】
また、長期の使用により、アクチュエータ３９の特性が低下しても、その場合には（レベルが）４のスイッチ５０ｄ或いは（レベルが）５のスイッチ５０ｅに設定することにより、（特性が低下していない）通常の使用状態と同等な操作性が得られるようにしている。
【００４９】
また、本実施例では図２に示すように各内視鏡２毎にその内視鏡２に内蔵されたアクチュエータ３９の特性に対応して望ましい特性に設定する情報を持つ例えばディプスイッチ６３が設けてある。
【００５０】
そして、内視鏡２をズーム制御装置６に接続した場合には、このディプスイッチ６３の情報が図２のＩ／Ｏポート５９を介して制御回路５２（或いは制御回路５２を構成するＣＰＵ５５）に入力される。なお、より具体的には図１１に示すようにディプスイッチ６３の設定情報は受信回路６２を介して、Ｉ／Ｏポート５９からＣＰＵ５５に伝達される。
【００５１】
図８に示すズーム制御装置６ではフットスイッチ７、ズームスイッチ４０及びフロントパネル４８のモードスイッチ４９等を操作した場合には、それぞれの信号はＩ／Ｏポート５９を介して（図２の制御回路５２を構成する）ＣＰＵ５５に入力される。
【００５２】
このＣＰＵ５５にはモード選択情報等を格納したり、ＣＰＵ５５がプログラムに従って処理する作業エリアに使用されるＲＡＭ５４が接続されている。  
また、本実施例では、ディプスイッチ６３からその設定情報もＩ／Ｏポート５９を介してＣＰＵ５５に入力される。
【００５３】
そして、ＣＰＵ５５はリモートスイッチが操作された場合にはディプスイッチ６３の設定情報を参照して、フィールド・プログラマブル・ゲートアレイ（ＦＰＧＡと略記）５６に対してＲＯＭ５３に予め書き込んである駆動データを読み出す制御信号を送り、ＦＰＧＡ５６はこの制御信号によりＲＯＭ５３に対応するアドレス信号を印加して、駆動波形データを読み出す。
【００５４】
この駆動波形データはＤ／Ａコンバータ５７によりアナログ値に変換され、さらに駆動回路５１を構成する増幅回路５８をで増幅されて、駆動信号となり、アクチュエータ３９に印加される。
【００５５】
このアクチュエータ３９に印加される駆動信号は、図６（Ａ）或いは図６（Ｂ）の波形のものであるが、図９（Ａ）或いは図９（Ｂ）に示すような駆動パルス比率で印加される。
【００５６】
ここで、駆動パルス比率とは、駆動パルスが実際に出力されている通電部分の時間Ｔａと、該通電部分及び通電休止部分とを含めた時間Ｔｂに対する比Ｔａ／Ｔｂで定義される。換言すると、実際に出力される駆動波形の出現率で定義されるとも言える。
【００５７】
例えば、図９（Ａ）に示すように、Ｔ側へアクチュエータ３９を駆動する駆動パルスの場合、通電部分の時間Ｔａ、該通電部分と通電休止部分とを合わせた時間をＴｂとすると、駆動パルス比率はＴａ／Ｔｂ（パーセント表示の場合には１００を乗じる）で計算され、アクチュエータ３９の駆動時には、該通電部分と通電休止部分とが周期Ｔｂで繰り返される。
【００５８】
同様に、図９（Ｂ）に示すように、Ｗ側へアクチュエータ３９を駆動する駆動パルスの場合も、通電部分の時間Ｔａ′、該通電部分と通電休止部分とを合わせた時間をＴｂ′とすると、駆動パルス比率は、Ｔａ′／Ｔｂ′（パーセント表示の場合には１００を乗じる）で計算され、アクチュエータ３９の駆動時には、該通電部分と通電休止部分とが周期Ｔｂ′で繰り返される。なお、本実施例では通電部分の時間と、通電休止部分の時間は各々駆動パルスの基本周期Ｔｃ或いはＴｃ′の整数倍に設定される。
【００５９】
この場合の駆動パルス比率を変えると、当然アクチュエータ３９による移動速度が変化する。本実施例では、各内視鏡２に内蔵されているアクチュエータ３９のバラツキを揃えるために、各内視鏡２にアクチュエータ３９のバラツキを揃えるための設定情報を持ったディップスイッチ６３を設けて、このディップスイッチ６３の設定情報を読み出してそのアクチュエータ３９を駆動する際に、そのアクチュエータ３９に対応する駆動パルス比率等の駆動信号で駆動するようにしている。
【００６０】
このディプスイッチ６３のより詳細な形状を図１０（Ａ）に示し、図１０（Ｂ）にその設定情報の詳細を示し、図１０（Ｃ）に設定情報の具体的な仕様を示す。
【００６１】
図１０（Ａ）に示すようにディプスイッチ６３は例えば７個のスイッチＳＷ１〜ＳＷ７で構成され、各スイッチＳＷＩ（Ｉ＝１〜７）のＯＮ／ＯＦＦにより、図１０（Ｂ）に示すような機能が割り当てられている。
【００６２】
例えば、スイッチＳＷ１はＷ→Ｔ駆動周波数設定の機能が割り当てられている。より具体的には図１０（Ｃ）に示すようにスイッチＳＷ１がＯＦＦであるとＷ→Ｔ駆動周波数が１９．５ｋＨｚに設定され、スイッチＳＷ１がＯＮであるとＷ→Ｔ駆動周波数が１３．０ｋＨｚに設定されることになる。
【００６３】
ここで、Ｗ→ＴはＴ方向に移動する場合を意味し、Ｔ→ＷはＷ方向に移動する場合を意味する。
【００６４】
また、スイッチＳＷ２及びＳＷ３はＷ→Ｔ駆動パルス比率設定の機能が割り当てられている。より具体的には図１０（Ｃ）に示すようにスイッチＳＷ２及びＳＷ３が共にＯＦＦであると、Ｗ→Ｔ駆動パルス比率は４０％、スイッチＳＷ２がＯＦＦ、ＳＷ３がＯＮであると、Ｗ→Ｔ駆動パルス比率は６０％、スイッチＳＷ２がＯＮ、ＳＷ３がＯＦＦであると、Ｗ→Ｔ駆動パルス比率は８０％、スイッチＳＷ２及びＳＷ３が共にＯＮであると、Ｗ→Ｔ駆動パルス比率は１００％になるように設定される。
【００６５】
スイッチＳＷ４はＴ→Ｗ駆動周波数設定の機能が割り当てられている。また、スイッチＳＷ５及びＳＷ６はＴ→Ｗ駆動パルス比率設定の機能が割り当てられている。さらにスイッチＳＷ７はスコープ接続検知の機能が割り当てられており、ＣＰＵ５５はこのスイッチＳＷ７のＯＮによりスコープ接続検知した場合に、スイッチＳＷ１〜ＳＷ６による設定情報を参照して駆動パルス周波数、駆動パルス比率の設定を行うようにしている。
【００６６】
図１１はディップスイッチ６３の設定情報を受信する受信回路６２の構成を示す。  
ディップスイッチ６３の各スイッチＳＷＩの一端はズームケーブル２０を介して、受信回路６２を構成する抵抗Ｒ１の一端に接続され、この抵抗Ｒ１の他端はフォトカプラ７１を構成するＬＥＤ７２を介して電源端（具体的には＋５Ｖ）に接続されている。各スイッチＳＷＩの他端はグランドに接続されている。
【００６７】
ＬＥＤ７２との対でフォトカプラ７１を構成するフォトトランジスタ７３のコレクタは抵抗Ｒ２を介して電源端に接続され、フォトトランジスタ７３のエミッタはグランドに接続され、前記コレクタは受信回路６２の出力端となってＩ／Ｏポート５９に接続される。  また、ディップスイッチ６３の各スイッチＳＷＩがズームケーブル２０を介して接続される抵抗Ｒ１の一端はリミッタ回路７４を構成する２つのダイオードＤ１、Ｄ２を介して電源端とグランドにそれぞれ接続されている。なお、図１１ではスイッチＳＷ１に接続されている部分のみを示しているが、他のスイッチＳＷ２〜７に対する回路構成も同じであるので、省略している。
【００６８】
そして、例えばスイッチＳＷ１がＯＦＦであると、ＬＥＤ７２には電流が流れないので発光せず、フォトトランジスタ７３はＯＦＦとなり、そのコレクタの電位は電源端レベルとなってＩ／Ｏポート５９を介してＣＰＵ５５に伝達され、ＣＰＵ５５はＯＦＦであると判断する。
【００６９】
また、スイッチＳＷ１がＯＮであると、ＬＥＤ７２には電流が流れて発光し、フォトトランジスタ７３はＯＮとなり、そのコレクタの電位はほぼグランドレベルとなってＩ／Ｏポート５９を介してＣＰＵ５５に伝達され、ＣＰＵ５５はＯＮであると判断する。
【００７０】
そして、ＣＰＵ５５は例えばＲＡＭ５４に格納されている各モード時での駆動パルス周波数、駆動パルス比率をディップスイッチ６３の設定情報に従って設定することにより、内視鏡２に搭載されたアクチュエータ３９による移動特性等にバラツキがある場合でも、そのアクチュエータ３９の特性に応じてその駆動パルス周波数、駆動パルス比率を設定することにより、アクチュエータ３９による移動特性等を揃える、つまりバラツキを解消するようにしている。
【００７１】
このように構成された実施例１によれば、内視鏡２に搭載されたアクチュエータ３９にバラツキがある場合でも、ズームケーブル２０等を介してそのコネクタ２４をズーム制御装置６に接続することによって、その内視鏡２に設けたディップスイッチ６３によるアクチュエータ３９に適した駆動パルス周波数、駆動パルス比率等の設定情報が受信回路６２等を経てズーム制御装置６内のＣＰＵ５５に送られ、ＣＰＵ５５はその設定情報によりそのアクチュエータ３９を駆動する際の駆動条件を設定する。
【００７２】
例えば、内視鏡２に搭載されたアクチュエータ３９によりスピードモードで操作した場合のズームレンズ３８の移動速度が標準の値のものより大きい場合には、予め標準の値のものよりも駆動パルス比率を小さくしてスピードモードで操作した場合のズームレンズ３８の移動速度が標準の値のものとあまり変わらないようになるようにディップスイッチ６３により情報を設定しておき、その内視鏡２を使用する際にそのディップスイッチ６３により設定された情報に従ってＣＰＵ５５は標準の値のものよりも駆動パルス比率（より広義には駆動波形の出現状態）を小さくする。
【００７３】
このため、内視鏡２に搭載されたアクチュエータ３９にバラツキがある場合でも、実際に操作した場合の操作特性上では、殆どバラツキがないような操作感で操作できる。
【００７４】
この場合、ＲＯＭ５３から読み出す駆動波形データをソフトウェア的に変更することで、簡単に駆動パルス比率を変更できるので、駆動電圧を変更する場合よりも簡単かつ低コストでバラツキを解消できる。
【００７５】
なお、実施例１ではディップスイッチ６３のスイッチＳＷ２，３及びＳＷ５，６により駆動パルス比率を図９に示すように設定したが、図１２に示す変形例のように設定しても良い。
【００７６】
つまり、Ｔ方向に駆動する場合には図１２（Ａ）に示すように、Ｐａの通電パルス数とその後のＰｂの休止パルス数とを基本周期とした駆動信号をアクチュエータ３９に出力するようにしても良い。
【００７７】
この場合、ディップスイッチ６３の設定により、例えば休止パルス数Ｐｂを一定にして、通電パルス数Ｐａの方を可変として調整したり、逆に通電パルス数Ｐａの方を一定として休止パルス数Ｐｂを可変として調整したりしても良い。また、両方を可変として調整しても良い。  
この場合における駆動パルス比率はＰａ／（Ｐａ＋Ｐｂ）となる（パーセント設定の場合には１００を乗じる）。
【００７８】
また、Ｗ方向に駆動する場合には、図１２（Ｂ）に示すように、Ｐａ′の通電パルス数とその後のＰｂ′の休止パルス数とを基本周期とした駆動信号をアクチュエータ３９に出力するようにしても良い。
【００７９】
この場合、ディップスイッチ６３の設定により、例えば休止パルス数Ｐｂ′を一定にして、通電パルス数Ｐａ′の方を可変として調整したり、逆に通電パルス数Ｐａ′の方を一定として休止パルス数Ｐｂ′を可変として調整したりしても良い。また、両方を可変として調整しても良い。  
この場合における駆動パルス比率はＰａ′／（Ｐａ′＋Ｐｂ′）となる（パーセント設定の場合には１００を乗じる）。
【００８０】
図９の基本周期Ｔｂ、Ｔｂ′や、図１２の基本周期Ｐａ＋Ｐｂ、Ｐａ′＋Ｐｂ′は、アクチュエータ３９が駆動、停止を繰り返していることが肉眼では確認できず、連続的な動きとして認識される程度の短い時間（パルス数）に設定されることが望ましい。
【００８１】
なお、実施例１では、その内視鏡２に搭載されたアクチュエータ３９を駆動した場合にバラツキを解消できるような駆動情報をディップスイッチ６３に持たせたが、その代わりにＲＯＭを採用してそのＲＯＭに同様の情報を記憶させても良い。
【００８２】
また、内視鏡２毎に或いはその内視鏡に搭載されたアクチュエータ毎にＩＤコード等のＩＤ情報に相当する内視鏡識別子（ＩＤ情報識別コード）を少なくとも内視鏡２側に設け、その内視鏡識別子（ＩＤ情報識別コード）の読取手段をズーム制御装置６等に設け、かつズーム制御装置６には各ＩＤ情報識別コードに対応してバラツキを解消する駆動情報を予めＲＯＭ等に格納しておき、読取手段で読み取ったＩＤ情報識別コードに対応する駆動情報を読み出すようにして、その駆動情報に対応する（駆動パルス比率等の出現状態）の駆動波形の駆動信号でアクチュエータを駆動することにより、バラツキを小さくないしは解消する駆動特性に設定するようにしても良い。
【００８３】
（実施例２）
次に本発明の実施例２を図１３を参照して説明する。本実施例におけるズーム制御装置６の機能的な構成を図１３に示す。本実施例は、実施例１において、リモートスイッチが操作された場合に、アクチュエータ３９に駆動信号を印加し、その際アクチュエータ３９に流れる電流から解放状態及び短絡状態が発生したか否かをモニタし、これら解放状態及び短絡状態を検出した場合には、アクチュエータ３９を駆動するのを停止するようにしたものである。以下、構成及びその動作を具体的に説明する。
【００８４】
電源投入された後、ズームスイッチ４０等のリモートスイッチが操作されると、ＣＰＵ５５等で構成される信号発生指令手段８１からの信号発生指令がＦＰＧＡ５６に出力され、このＦＰＧＡ５６はＲＯＭ５３から（駆動）波形データを読み出す。この場合、ここでは省略したディップスイッチ６３による情報によって実際に接続使用される内視鏡に搭載されたアクチュエータ３９を所定の駆動特性に殆ど一致するような駆動条件となる波形データがＲＯＭ５３から読み出される。
【００８５】
この波形データはＤ／Ａコンバータ５７でアナログ信号に変換された後、増幅回路５８で増幅されてアクチュエータ３９に駆動信号として印加される。  
アクチュエータ３９に流れる駆動信号の電流値は電流検出回路８２で検出され、さらにＡ／Ｄコンバータ８３でデジタル信号に変換された後、ＦＰＧＡ８４に入力され、積分が行われる。この積分された電流面積はＣＰＵ５５等による判別回路８５でしきい値設定回路８６のしきい値と比較される。
【００８６】
そして、しきい値の範囲内の場合には、信号発生指令回路８１の動作を継続させ、しきい値の範囲から逸脱した場合には停止させる。  
このしきい値は例えば図１４（Ａ）に示すように設定されている。
【００８７】
つまり、短絡（ショート）を検出するための第１のしきい値Ｓｓｈと解放（或いは断線）を検出するための第２のしきい値Ｓｏｐとに設定されている。第１のしきい値Ｓｓｈは実際に短絡した場合に流れる電流の面積Ｓｓｈｏｒｔの場合より少し小さい値であり、かつ正常な状態でアクチュエータ３９に流れる電流の面積Ｓｎｏｒの場合より大きな値である。
【００８８】
一方、第２のしきい値Ｓｏｐは０（或いは解放の場合の値Ｓｏｐｅｎ）より少し大きな値で、かつ正常な状態でアクチュエータ３９に流れる電流の面積Ｓｎｏｒの場合より小さな値である。
【００８９】
なお、正常な状態でアクチュエータ３９に流れる電流波形を図１４（Ｂ）に示し、図１４（Ｃ）は短絡している状態で駆動信号が印加された状態における電流波形を示し、ＦＰＧＡ８４ではそれぞれ縦線によるハッチングで示した電流面積Ｓｎｏｒ，Ｓｓｈを判別回路８５に出力する。なお、電流検出回路８２は一方の極性（例えば正極性）の電流を出力する。
【００９０】
図１５はズームスイッチ４０がＯＮされた場合における図１３による動作説明用のフローチャートを示す。  
図１５に示すようにズームスイッチ４０がＯＮされると、その操作信号がステップＳ１のＩ／Ｏポート５９に入力され、さらにこのＩ／Ｏポート５９を経てＣＰＵ５５に入力され、このＣＰＵ５５はステップＳ２に示すように信号発生指令の処理を行う。
【００９１】
つまり、この信号発生指令をＦＰＧＡ５６に送り、このＦＰＧＡ５６はステップＳ３のＲＯＭ５３へアドレス指定の処理を行う。そして、このＲＯＭ５３から読み出された波形データはＡ／Ｄコンバータ５７を経てさらに増幅回路５８で増幅されてアクチュエータ３９に出力される。つまり、ステップＳ４の駆動パルス通電の処理が開始する。
【００９２】
すると、ステップＳ５に示すように、アクチュエータ３９に流れる駆動信号に対し、電流検出・積分計算の処理が行われて面積Ｓが算出され、次のステップＳ６で算出された面積Ｓがしきい値から逸脱しているか否かの判断が行われる。つまり、この面積Ｓが解放であることを検出するしきい値Ｓｏｐより小さいか又は短絡であることを検出するしきい値Ｓｓｈより大きいかの判断が行われる。
【００９３】
そして、算出された面積Ｓがしきい値から逸脱しない、つまり２つのしきい値の範囲内の場合にはステップＳ２に戻り、同様の動作を繰り返し、算出された面積Ｓがしきい値より逸脱すると判断した場合には、ステップＳ７に示すようにＣＰＵ５５は信号停止指令をＦＰＧＡ５６に出力する。そして、ＦＰＧＡ５６はＲＯＭ５３から波形データの読み出しを行うのを停止し、ステップＳ８に示すようにアクチュエータ３９への通電が停止することになる。
【００９４】
本実施例によれば、リモートスイッチが操作された場合に、アクチュエータ３９に駆動信号を印加して、その際に解放状態及び短絡状態が発生した場合には速やかにアクチュエータ３９を駆動するのを停止するので、短絡により過大な電流が流れて電気部品等を損傷したり、特性を劣化させたり、寿命を低下させたり、断線等が発生するのを速やかに防止できる。
【００９５】
また、断線により解放状態となった場合には、そのまま駆動電力を印加した状態を続けると、断線した部分が導電部分に触れて不具合が発生する可能性があるが、このような不具合を速やかに防止できる。その他は実施例１と同様の効果を有する。
【００９６】
（実施例３）
次に本発明の実施例３を図１６を参照して説明する。本実施例はそのズーム制御装置６が図１３に示すものにおいて、しきい値設定回路８６で設定されているしきい値がアクチュエータ３９が発熱状態であるかを判別するためのしきい値Ｓｔｈに設定されており、その他は同様の構成である。
【００９７】
そして、リモートスイッチが操作されている状態において、その状態でのアクチュエータ３９に流れる電流を監視し、その面積Ｓがしきい値Ｓｔｈを越えたか否かを判断して、このしきい値Ｓｔｈを越えた場合には、ズームレンズ３８を広角端に設定して、通電を一旦停止して発熱状態を抑制するようにしたものである。
【００９８】
この場合の発熱状態を検出するしきい値Ｓｔｈは図１４（Ａ）で示すように通常の使用状態での電流面積Ｓｎｏｒより少し大きな値であり、この値Ｓｔｈは短絡を検出するしきい値Ｓｓｈよりは小さい。
【００９９】
本実施例における例えばズームスイッチ４０をＯＮした場合に行う処理内容を図１６を参照して説明する。ズームスイッチ４０をＯＮした場合にはその操作信号はステップＳ１１のＩ／Ｏポート５９を経てＣＰＵ５５に入力される。
【０１００】
ステップＳ１２に示すようにＣＰＵ５５はその操作信号がＴ方向或いはＷ方向のいずれの方向への指示であるかの判断を行う。
【０１０１】
Ｗ方向である場合には、ＣＰＵ５５はステップＳ１３ａのＷ信号発生指令の処理を行い、ＦＰＧＡ５６はその指令に従ってステップＳ１４ａのＲＯＭ５３へアドレス指定を行い、ＲＯＭ５３から読み出された駆動波形データはＤ／Ａコンバータ５７でアナログ値に変換され、増幅されて駆動信号となりアクチュエータ３９に印加される。つまり、ステップＳ１５ａの駆動パルス通電の処理が行われる。
【０１０２】
そして、ステップ１６ａの電流検出回路８２等によりアクチュエータ３９に流れる電流の検出、積分計算が行われて面積Ｓが算出され、この面積Ｓはステップ１７ａでしきい値Ｓｔｈと比較される。つまり、（ＣＰＵ５５による）判別回路８５でＳ＞Ｓｔｈか否かの判断が行われ、これに該当しない場合にはステップＳ１３ａに戻り、逆にＳ＞Ｓｔｈに該当する場合にはステップＳ２０以降の処理を行う。
【０１０３】
一方、ステップＳ１２の判断でＴ方向であると判断された場合にはＣＰＵ５５はステップＳ１３ｂのＴ信号発生指令の処理を行い、ＦＰＧＡ５６はその指令に従ってステップＳ１４ｂのＲＯＭ５３へアドレス指定を行い、ＲＯＭ５３から読み出された駆動波形データはＤ／Ａコンバータ５７でアナログ値に変換され、増幅されて駆動信号となりアクチュエータ３９に印加される。つまり、ステップＳ１５ｂの駆動パルス通電の処理が行われる。  そして、ステップ１６ｂの電流検出回路８２等によりアクチュエータ３９に流れる電流の検出、積分計算が行われて面積Ｓが算出され、この面積Ｓはステップ１７ａでしきい値Ｓｔｈと比較される。つまり、（ＣＰＵ５５による）判別回路８５でＳ＞Ｓｔｈか否かの判断が行われ、これに該当しない場合にはステップＳ１３ｂに戻り、逆にＳ＞Ｓｔｈに該当する場合にはステップＳ１８ｂのＴ信号停止指令の処理を行い、その後ステップＳ１９ｂの通電停止の処理を行ってステップＳ２０以降の処理を行う。
【０１０４】
ステップＳ２０ではＣＰＵ５５は最拡大端から最広角端に移動するのに要する駆動パルス数Ｐ５に例えばαを加算した値の（Ｐ５＋α）パルスでＷ信号発生指令を出し、ＦＰＧＡ５６はその指令に従ってステップＳ２１のＲＯＭ５３へアドレス指定を行い、ＲＯＭ５３から読み出された駆動波形データはＤ／Ａコンバータ５７でアナログ値に変換され、増幅されて駆動信号となりアクチュエータ３９に印加される。つまり、ズテップＳ２２の駆動パルス通電の処理が行われる。
【０１０５】
これによって、ズームレンズ３８は最広角端に移動されてその位置に設定される。  
そして、ステップ２３でＷ信号停止指令の処理を行い、その後ステップＳ２４の通電停止の処理を行う。
【０１０６】
本実施例によれば、例えば使用者が通常の使用頻度でのリモートスイッチのＯＮ／ＯＦＦよりもはるかに激しい使用頻度でリモートスイッチを使用したような場合には、摩擦板４４及び摺動パイプ６７等での発熱が大きくなり、耐久性が低下したり、熱変形或いは熱損傷して駆動特性が劣化したり、寿命を低下させたりする等の可能性が発生する。
【０１０７】
さらに過度に発熱させると、移動ができないで故障させてしまう可能性が発生し、この場合にはズームレンズ３８が広角側に設定されていないと、周囲の視野が確保できないので、内視鏡検査を中断して、内視鏡を引き抜く作業を行うことになるが、本実施例によれば、最広角端に移動設定するのでそのような作業を容易に行うことができる。また、発熱によって、耐久性が低下したり、駆動特性が劣化する等の不具合が発生する可能性を未然に防止できる。その他は実施例１と同様の効果を有する。
【０１０８】
なお、上記しきい値Ｓｔｈの他にさらに低い発熱注意用のしきい値を設定し、この場合には図１６と同様にステップ２３まで行い、その後に、ＣＰＵ５５はタイマを起動して、アクチュエータ３９の発熱が例えば通常のレベルまで低下すると予測される比較的短い時間を計測し、この時間の後にリモートスイッチによる操作信号を受け付けるようにして内視鏡検査を再開できるようにしても良い。
【０１０９】
なお、リモートスイッチが操作されてアクチュエータ３９に駆動信号を印加した場合に、実施例２及び実施例３の動作を行うようにしても良い。この場合には実施例２及び実施例３の効果を有する。
【０１１０】
（実施例４）
次に本発明の実施例４を図１７等を参照して以下に説明する。図１７はズームレンズ３８を移動する場合の駆動パルス数と設定される倍率との関係をＷｉｄｅ端及びＴｅｌｅ端も含めて示したものであり、例えばパルス数がＰ１、Ｐ２、Ｐ３、Ｐ４、Ｐ５でそれぞれ倍率２０、４０、６０、８０、１００に設定される。
【０１１１】
本実施例では、メイン電源を投入した場合に、ステップモードでは図１８に示すような動作を行うようにしたものである。  
つまり、メイン電源を投入した場合に、自動的にＷｉｄｅ端に設定する動作を行った後、ステップモードでＴ方向スイッチ４０Ｔを押す操作した場合には、レベル１が選択されている場合には、パルス数Ｐ１を出し、２０倍に設定する。
【０１１２】
この２０倍の状態で、さらにＴ方向スイッチ４０Ｔを押す操作した場合には、さらにパルス数Ｐ１を出し（この場合には２０＋α倍になる）、Ｗ方向スイッチ４０Ｗを押す操作をした場合にはＷｉｄｅ端に復帰させる。
【０１１３】
つまり、ステップモードのレベル１が選択されている場合には、Ｔ方向スイッチ４０Ｔを押す度にパルス数Ｐ１を出力し、逆にＷ方向スイッチ４０Ｗが押された場合にはＷｉｄｅ端に復帰させる。
【０１１４】
レベル２が選択された場合にはＴ方向スイッチ４０Ｔを押す度にパルス数Ｐ２にしたものである。他のレベルもほぼ同様に、レベル３が選択された場合にはＴ方向スイッチ４０Ｔを押す度にパルス数Ｐ３が、レベル４が選択された場合にはＴ方向スイッチ４０Ｔを押す度にパルス数Ｐ４が、レベル５が選択された場合にはＴ方向スイッチ４０Ｔを押す度にパルス数Ｐ５＋αが出力されるようにしたものである。逆にＷ方向スイッチ４０Ｗが押された場合にはＷｉｄｅ端に復帰させる。
【０１１５】
図１９は実施例４の第１変形例におけるステップモードでの動作例を示す。  
実施例４では所定のパルス数づつで移動させるものであったが、この第１変形例では所定の倍率になるように移動するものである。
【０１１６】
つまり、メイン電源を投入してＷｉｄｅ端に設定した状態において、ステップモードのレベル１が選択された状態では、Ｔ方向スイッチ４０Ｔが押される度に２０倍づつ倍率が増加した位置に設定し、Ｗ方向スイッチ４０Ｗが押されと、Ｗｉｄｅ端に復帰させる。
【０１１７】
例えばＷｉｄｅ端の状態において、Ｔ方向スイッチ４０Ｔが押されると、２０倍に設定するＰ１パルスが出力されて２０倍の位置に設定され、さらにＴ方向スイッチ４０Ｔが押されると、４０倍に設定する（Ｐ２−Ｐ１）パルスが出力されて４０倍の位置に設定され、さらにＴ方向スイッチ４０Ｔが押されると、６０倍に設定する（Ｐ３−Ｐ２）パルスが出力されて６０倍の位置に設定され、さらにＴ方向スイッチ４０Ｔが押されると、８０倍に設定する（Ｐ４−Ｐ３）パルスが出力されて８０倍の位置に設定され、さらにＴ方向スイッチ４０Ｔが押されると、１００倍に設定する（Ｐ５−Ｐ４パルスが出力されて１００倍の位置（つまりＴｅｌｅ端）に設定される。そして、任意の倍率の状態でＷ方向スイッチ４０Ｗが押されると、（Ｐ５＋α）パルスが出力されてＷｉｄｅ端に復帰する。
【０１１８】
レベル２が選択された状態で、Ｔ方向スイッチ４０Ｔが押された場合には最初に４０倍の位置に設定されるＰ２パルスが出力され、その後の動作はレベル１と同様である。
【０１１９】
他のレベルも同様に、レベル３、４、５が選択された状態で、Ｔ方向スイッチ４０Ｔが押された場合には最初に６０倍、８０倍、１００倍の位置にそれぞれ設定されるＰ３、Ｐ４、Ｐ５パルスがそれぞれ出力され、その後の動作はレベル１と同様である。
【０１２０】
また、図２０は実施例４の第２変形例におけるステップモードでの動作例を示す。  
第１変形例ではＴ方向スイッチ４０Ｔが押される度に２０倍づつ倍率が増加した位置に設定され、Ｗ方向スイッチ４０Ｗが押されと、Ｗｉｄｅ端に復帰させるようにしたが、この第２変形例では、レベル５を除いてＷｉｄｅ端の状態で２回まではＴ方向スイッチ４０Ｔが押される度に２０倍づつ倍率が増加した位置に設定されるが、それ以上は倍率が増加しないで、最大の倍率に設定された状態でＷ方向スイッチ４０Ｗが押されると、最初のＴ方向スイッチ４０で設定される倍率の位置に設定され、さらにＷ方向スイッチ４０Ｗが押されるとＷｉｄｅ端に復帰するものである。
【０１２１】
つまり、メイン電源を投入してＷｉｄｅ端に設定した状態において、ステップモードのレベル１が選択された状態でＴ方向スイッチ４０Ｔを押すとＰ１パルスが出力されて２０倍の位置に設定され、さらにＴ方向スイッチ４０Ｔを押すと（Ｐ２ーＰ１）パルスが出力されて４０倍の位置に設定され、それ以上はＴ方向スイッチ４０Ｔを押しても倍率は変化しないで、Ｗ方向スイッチ４０Ｗを押すと（Ｐ２−Ｐ１）パルスが出力されて２０倍の位置に設定され、さらにＷ方向スイッチ４０Ｗを押すと（Ｐ１＋α）パルスが出力されて確実にＷｉｄｅ端に設定される。
【０１２２】
また、例えばレベル２ではＷｉｄｅ端の状態において、Ｔ方向スイッチ４０Ｔを押すとＰ２パルスが出力されて４０倍の位置に設定され、さらにＴ方向スイッチ４０Ｔを押すと（Ｐ３ーＰ２）パルスが出力されて６０倍の位置に設定され、それ以上はＴ方向スイッチ４０Ｔを押しても倍率は変化しないで、Ｗ方向スイッチ４０Ｗを押すと（Ｐ３−Ｐ２）パルスが出力されて４０倍の位置に設定され、さらにＷ方向スイッチ４０Ｗを押すと（Ｐ２＋α）パルスが出力されて確実にＷｉｄｅ端に設定される。
【０１２３】
また、レベル５ではＷｉｄｅ端の状態において、Ｔ方向スイッチ４０Ｔを押すと（Ｐ５＋α）パルスが出力されて１００倍（つまりＴｅｌｅ端）の位置に確実に設定され、それ以上はＴ方向スイッチ４０Ｔを押しても倍率は変化しないで、Ｗ方向スイッチ４０Ｗを押すと（Ｐ５＋α）パルスが出力されて確実にＷｉｄｅ端に設定される。
【０１２４】
（実施例５）
次に本発明の実施例５を図２１を参照して説明する。本実施例は、実施例１〜４で説明した内容を、内視鏡の視野変換機構に応用したものである。内視鏡先端に搭載された、視野変換機構の構成が、実施例１〜４と異なる。
【０１２５】
図２１は内視鏡２の先端部１３の構成を示している。先端部１３を構成する先端部本体９１には、対物光学系３４が先端部本体９１の軸方向（図２１では左右方向）に配置され、その結像位置にＣＣＤ３５が配置されている。
【０１２６】
この対物光学系３４の光路の前方位置に設けられた切り欠き部にはミラー９２が収納され、このミラー９２は一端が回転自在に支持され、この一端よりも他端寄りの位置に設けた図示しない長孔にアクチュエータ３９の出力軸３９ａに設けたピンが係入され回動可能に連結されている。
【０１２７】
この出力軸３９ａの基端付近の先端部本体９１に設けた凹部にはアクチュエータ３９が取り付けられている。このアクチュエータ３９は実施例１で説明したのと同様に、ズーム制御装置６に接続される。  
また、ＣＣＤ３５もアンプ３６を通してＣＣＵ４に接続される。
【０１２８】
そして、ズームスイッチ４０或いはフットスイッチ７からなるリモートスイッチを操作することにより、制御回路５２（を構成するＣＰＵ５５）を介して駆動回路５１からアクチュエータ３９に駆動信号を印加して、出力軸３９ａを図２１の矢印Ａで示す方向に移動して、この移動によりミラー９２を一端を回動中心として矢印ｂで示すように回動させ、視野方向を変更或いは視野変換を行うことができるようにしている。
【０１２９】
例えば、図２１の光線９３の方向からくる光はミラー９２で反射され、対物光学系３４の光軸を通りＣＣＤ３５に入射される。つまり、この状態では光線９３の方向が視野方向となり、リモートスイッチを操作してミラー９２の傾き角を変更した場合には視野方向が変化する。
【０１３０】
本実施例は以下の効果を有する。  
いろいろなモードを設けて在るので、視野の変換を行うのに、内視鏡操作者の好みや、症例の違い等に対応でき、操作性が向上している。本実施例による視野変換の操作性の向上は、実施例１〜４で説明した効果を、視野変換の操作性という観点で読み変えることで、意味的に同じである（同じ構成の制御装置を使用している為）。
【０１３１】
なお、上述の説明では被駆動体としてのズームレンズ３８をその移動範囲における最広角端となる一方の位置或いは中間位置に移動する手段を備えたものを説明したが、他方の最拡大端に移動設定する手段を設けるようにしても良い。
【０１３２】
なお、対物レンズ系３４に設けたズームレンズ３８としては、移動してフォーカス状態（合焦状態）に設定するフォーカス光学系でも良く、この場合にはズームレンズ（正確には変倍レンズ）３８の代わりにフォーカスレンズを用いれば良い。
【０１３３】
また、対物レンズ系３４は、変倍した場合にも、フォーカス距離が変動しないズーム光学系でも良く、この場合にはズームレンズ（正確には変倍レンズ）３８の代わりにズームレンズを用いれば良い。
【０１３４】
また、対物レンズ系３４に回動自在のミラーを設け、このミラーの回動角度をアクチュエータ３９で駆動することにより、観察視野の方向を変更（変換）するようにしても良い。
【０１３５】
また、アクチュエータ３９により駆動される被駆動体として、対物レンズ系３４の代わりに鉗子起上台とし、この鉗子起上台を駆動して、鉗子起上台の起上角度を可変できるようにしても良い。  
なお、上述した各実施例等を部分的等で組み合わせて構成される実施例等も本発明に属する。
【０１３６】
［付記］
１．アクチュエータにより駆動される被駆動体を有する内視鏡と、着脱自在に前記内視鏡に接続され前記アクチュエータを駆動制御する制御装置を備えた内視鏡装置において、
前記内視鏡内に設けられ、前記内視鏡内の情報を設定する設定手段と、
前記設定手段の出力信号を前記制御装置へ伝達する伝達手段と、
前記制御装置内に前記設定手段の出力信号を受信する受信手段と、
前記受信手段の受信信号に基づいて、前記アクチュエータの駆動波形の出現状態を設定する駆動制御手段と、
前記駆動制御手段からの出力信号に基づいて駆動波形を発生する駆動手段とを有することを特徴とする内視鏡装置。
【０１３７】
１−０．付記１において、前記内視鏡内の情報は、前記アクチュエータに関するものである。  
１−０−１．付記１−１において、前記内視鏡内の情報は、前記アクチュエータの駆動速度に関するものである。
【０１３８】
１−１．前記駆動制御手段は、単位時間あたりの前記駆動波形の出現率の大小を設定する。
【０１３９】
１−２．前記駆動制御手段は、前記駆動波形の休止時間の大小を設定する。
【０１４０】
１−３．付記１において、前記設定手段は、ディップスイッチである。  
１−４．付記１において、前記設定手段は、ＲＯＭである。  
１−５．付記１において、前記駆動手段は、波形発生回路と増幅回路からなる。１−６．付記１において、前記被駆動体はズームレンズである。
【０１４１】
１−７．付記１において、前記被駆動体はフォーカスレンズである。  
１−８．付記１において、前記被駆動体は変倍レンズである。  
１−９．付記１において、前記被駆動体は処置具起上台である。  
１−１０．付記１において、前記被駆動体は視野方向変換手段である。
【０１４２】
１′．アクチュエータにより駆動される被駆動体を有する内視鏡と、着脱自在に前記内視鏡が接続され前記アクチュエータを駆動制御する制御装置とを備えた内視鏡装置において、
アクチュエータを搭載した内視鏡個々ないしは前記アクチュエータ個々に対応した識別情報の発生手段と、
前記制御装置に接続される内視鏡における前記識別情報の読取手段と、
前記読取手段で読み取った識別情報により、前記内視鏡に搭載されたアクチュエータを駆動する駆動波形の出現状態を設定する駆動制御手段と、
とを設けたことを特徴とする内視鏡装置。
【０１４３】
２．アクチュエータにより駆動される被駆動体を有する内視鏡と、着脱自在に前記内視鏡に接続され前記アクチュエータ駆動制御する制御装置を備えた内視鏡装置において、
前記制御装置内に、前記アクチュエータに流れる電流を検出する電流検出手段と、
短絡及び解放状態を検出するための２つ以上のしきい値に設定したしきい値設定手段と、
前記しきい値レベルと前記電流検出手段で検出された電流量レベルとの大小を比較・判定する比較判定手段と、
前記比較判定手段の判定結果に基づいて、前記アクチュエータの駆動波形を設定する駆動制御手段と、
前記駆動制御手段からの出力信号に基づいて駆動波形を発生する駆動手段と、  を有することを特徴とする内視鏡装置。
【０１４４】
２−１．付記２において、前記２つ以上のしきい値における１つは、前記アクチュエータへの通電線断線時に前記電流検出手段で検出される電流量レベルよりも若干大きく設定され、前記駆動制御手段は、前記電流検出手段で検出される電流量レベルが、前記しきい値より小さい時、アクチュエータへの通電を遮断する。  
２−１−１．付記２−１において、前記通電を遮断する手段は、前記増幅回路への電源供給を遮断する。
【０１４５】
２−２．付記２において、前記２つ以上のしきい値における１つは、前記アクチュエータへの通電線短絡時に前記電流検出手段で検出される電流量レベルよりも若干小さく設定され、前記駆動制御手段は、前記電流検出手段で検出される電流量レベルが、前記しきい値より大きい時、直ちにアクチュエータへの通電を遮断する。  
２−２−１．付記２−２において、前記通電を遮断する手段は、前記増幅回路への電源供給を遮断する。
【０１４６】
２−３．付記２において、前記しきい値は、前記アクチュエータへの通電が正常に行われている時に前記電流検出手段で検出される電流量レベルよりも若干大きく設定され、前記駆動制御手段は、前記比較手段において、前記検出出力値がしきい値を越えた場合、駆動波形の発生を一旦停止させ、直ちに前記アクチュエータを所定の位置に移動させる駆動波形を発生させるよう通常制御する。
【０１４７】
２−３−１．付記２−３において、前記所定の位置は、前記アクチュエータの移動範囲の一端である。  
２−３−１−１．付記２−３において、前記一端は、広角端である。  
２−４．付記２において、前記駆動手段は、波形発生回路と増幅回路からなる。２−５．付記２において、前記被駆動体はズームレンズである。
【０１４８】
２−６．付記２において、前記被駆動体はフォーカスレンズである。  
２−７．付記２において、前記被駆動体は変倍レンズである。  
２−８．付記２において、前記被駆動体は処置具起上台である。  
２−９．付記２において、前記被駆動体は視野方向変換手段である。
【０１４９】
２′．アクチュエータにより駆動される被駆動体を有する内視鏡と、着脱自在に前記内視鏡に接続され前記アクチュエータ駆動制御する制御装置を備えた内視鏡装置において、
前記制御装置内に、前記アクチュエータに流れる電流を検出する電流検出手段と、
前記アクチュエータへの通電が正常に行われている時に前記電流検出手段で検出される電流量レベルよりも若干大きいしきい値に設定したしきい値設定手段と、
前記しきい値レベルと前記電流検出手段で検出された電流量レベルとの大小を比較・判定する比較判定手段と、
前記比較判定手段の判定結果に基づいて、前記アクチュエータの駆動波形を設定する駆動制御手段と、
前記駆動制御手段からの出力信号に基づいて駆動波形を発生する駆動手段と、  を有することを特徴とする内視鏡装置。
【０１５０】
２′．アクチュエータにより駆動される被駆動体を有する内視鏡と、着脱自在に前記内視鏡に接続され前記アクチュエータ駆動制御する制御装置を備えた内視鏡装置において、
前記制御装置内に、前記アクチュエータに流れる電流を検出する電流検出手段と、
短絡、解放及び発熱状態における少なくとも２つ以上のしきい値に設定したしきい値設定手段と、
前記しきい値レベルと前記電流検出手段で検出された電流量レベルとの大小を比較・判定する比較判定手段と、
前記比較判定手段の判定結果に基づいて、前記アクチュエータの駆動波形を設定する駆動制御手段と、
前記駆動制御手段からの出力信号に基づいて駆動波形を発生する駆動手段と、  を有することを特徴とする内視鏡装置。
【０１５１】
２″−１．前記駆動制御手段は、前記比較判定手段において、前記検出出力値がしきい値を越えた場合、駆動波形の発生を一旦停止させ、直ちに前記アクチュエータを所定の位置に移動させる駆動波形を発生させるよう通常制御する。
【０１５２】
（付記２、２′、２″に対する従来技術の問題点）
従来技術として、内視鏡内に設けられたディップスイッチ等によって、内視鏡と制御装置の接続を検知するものがあるが、この場合、内視鏡内、あるいは制御装置内のアクチュエータ通電線が断線し、アクチュエータが駆動不能になったことを検知できず、アクチュエータ通電線に駆動電力が供給されている状態で、通電線の導電部が意図せず制御装置内、あるいは内視鏡内部の金属部に接触することによる不具合が生じる恐れがある。
【０１５３】
過度にズーム操作を煩雑に繰り返すことにより、アクチュエータが発熱して特性が寿命を低下させたり、特性を劣化させる可能性がある。また、発熱しすぎて故障した場合、例えば拡大端で画像が動かなくなった場合、体腔内の全体視野が確保できないため、内視鏡検査を中断する際、内視鏡を抜去することが難しかった。
【０１５４】
（付記２、２′、２″の目的）
寿命の低下等を防止でき、内視鏡検査の中断操作が容易に行える内視鏡装置の提供。
【図面の簡単な説明】
【０１５５】
【図１】本発明の実施例１の内視鏡装置の外観を示す斜視図。
【図２】内視鏡装置の全体構成を示すブロック図。
【図３】内視鏡の先端部に設けた対物光学系及びズームレンズを駆動するアクチュエータを示す図。
【図４】アクチュエータの外形を示す斜視図。
【図５】アクチュエータの内部構造を示す断面図。
【図６】駆動波形を示す図。
【図７】ズーム制御装置の正面図。
【図８】ズーム制御装置内の駆動系の概略の構成を示す図。
【図９】駆動パルス比率を示す説明図。
【図１０】ディップスイッチの外形及び各スイッチに割り当てられた機能等を示す図。
【図１１】受信回路の具体的な回路図。
【図１２】変形例における駆動パルス比率を示す図。
【図１３】本発明の実施例２におけるズーム制御装置の機能的な構成図。
【図１４】しきい値の関係及び検出される電流波形を示す図。
【図１５】実施例２における動作内容を示すフローチャート図。
【図１６】本発明の実施例３における動作内容を示すフローチャート図。
【図１７】ズームレンズを移動する場合の駆動パルス数と設定される倍率との関係を示す図。
【図１８】本発明の実施例４におけるステップモードでの動作例を示す図。
【図１９】実施例４の第１変形例におけるステップモードでの動作例を示す図。
【図２０】実施例４の第２変形例におけるステップモードでの動作例を示す図。
【図２１】本発明の実施例５における内視鏡の先端部の視野変換機構部分を示す図。
【符号の説明】
【０１５６】
１…内視鏡装置
２…内視鏡
３…光源装置
４…ビデオプロセッサ
５…カラーモニタ
６…ズーム制御装置
７…フットスイッチ
８…挿入部
９…操作部
１３…先端部
３４…対物光学系
３５…ＣＣＤ
３８…ズームレンズ
３９…アクチュエータ
４０…ズームスイッチ
４９…ステップモードスイッチ
５０…スピードモードスイッチ
５１…駆動回路
５２…制御回路
５３…ＲＯＭ
５４…ＲＡＭ
５５…ＣＰＵ  
５６…ＦＰＧＡ
５７…Ｄ／Ａコンバータ
５９…Ｉ／Ｏ
６２…受信回路
６３…ディップスイッチ
【図１】
2006000660.tif 000003
【図２】
2006000660.tif 000004
【図３】
2006000660.tif 000005
【図４】
2006000660.tif 000006
【図５】
2006000660.tif 000007
【図６】
2006000660.tif 000008
【図７】
2006000660.tif 000009
【図８】
2006000660.tif 000010
【図９】
2006000660.tif 000011
【図１０】
2006000660.tif 000012
【図１１】
2006000660.tif 000013
【図１２】
2006000660.tif 000014
【図１３】
2006000660.tif 000015
【図１４】
2006000660.tif 000016
【図１５】
2006000660.tif 000017
【図１６】
2006000660.tif 000018
【図１７】
2006000660.tif 000019
【図１８】
2006000660.tif 000020
【図１９】
2006000660.tif 000021
【図２０】
2006000660.tif 000022
【図２１】
2006000660.tif 000023